(57)【特許請求の範囲】
【請求項１】
セキュア・デジタル（ＳＤ）コマンド内の論理アドレスに基づいて、保存ユニット又はベースバンド処理ユニットにデータ又は命令を送信するように構成されたＳＤスレーブ・コントローラと、
前記ＳＤスレーブ・コントローラが、前記ＳＤコマンド内の前記論理アドレスに基づいて、前記ベースバンド処理ユニットに前記データ又は命令を送信することを決定した場合、前記ベースバンド処理ユニットに対応するアプリケーション・モジュールに前記データ又は命令を送信するように構成されたベースバンド処理ユニットと、
前記ＳＤスレーブ・コントローラが、前記ＳＤコマンド内の前記論理アドレスに基づいて、前記保存ユニットに前記データ又は命令を送信することを決定した場合、前記ＳＤコマンドに基づいて前記保存ユニットを読み込むとともに、前記保存ユニットに書き込むために、前記論理アドレスに対応する物理アドレスを使用するように構成された保存ユニットと、
を具備し、
前記ＳＤコマンドを受信するとき、前記ＳＤスレーブ・コントローラは、前記ＳＤコマンド内の前記論理アドレスが任意の物理アドレスに対応しているかどうかを判断することによって、データ又は命令をフラッシュメモリまたはベースバンドに送信することを決定し、かつ前記ＳＤコマンド内の前記論理アドレスが任意の物理アドレスに対応する場合、前記フラッシュメモリに前記データ又は命令を送信し、前記ＳＤコマンド内の前記論理アドレスがどの物理アドレスにも対応していない場合、前記データ又は命令を前記ベースバンドに送信することを特徴とするモバイル・ネットワーク接続装置。
【請求項２】
前記ＳＤコマンドは、端末装置が、ＳＣＳＩ（Small Computer System Interface） ＣＤＢ（Command Descriptor Block）に前記受信データ又は命令をカプセル化した後、ＳＣＳＩ ＣＤＢを変換した結果である
ことを特徴とする請求項１に記載の装置。
【請求項３】
前記ベースバンド処理ユニットのランニング・コードを保存するように構成された前記保存ユニットは、独立した書き込み禁止部分を有する
ことを特徴とする請求項１に記載の装置。
【請求項４】
前記モバイル・ネットワーク接続装置の前記ＳＤスレーブ・コントローラと、端末装置のＳＤマスタ・コントローラとの間の接続を提供するように構成されたＳＤポートをさらに具備する
ことを特徴とする請求項１に記載の装置。
【請求項５】
前記装置は、無線周波数（ＲＦ）処理ユニット、電力供給管理ユニット、加入者識別モジュール（ＳＩＭ）ユニット、及びアンテナをさらに具備し、
前記ＲＦ処理ユニットは、前記ベースバンド処理ユニットと前記アンテナとに接続し、かつ無線モードにおいて前記アンテナを介して高周波信号を受信及び転送するように構成され、かつネットワークに接続するように構成され；
前記電力供給管理ユニットは、前記装置の電力供給を管理するように構成されるとともに、前記ＲＦ処理ユニットと、前記ＳＩＭユニットと、前記保存ユニットと、前記ベースバンド処理ユニットとに電力を供給するように構成され；
前記ＳＩＭユニットは、ユーザ情報を保存するように構成される
ことを特徴とする請求項１〜４のいずれか１項に記載の装置。
【請求項６】
前記ＳＩＭユニットは、ＳＩＭチップである
ことを特徴とする請求項５に記載の装置。
【請求項７】
前記アンテナは、ＳＤカードのＳＤポートに対向するように位置する
ことを特徴とする請求項５に記載の装置。
【請求項８】
前記ＳＤスレーブ・コントローラは、前記ＳＤコマンド内の前記論理アドレスに基づいて、前記保存ユニットに前記データ又は命令を送信することを決定した場合、さらに、前記論理アドレスに対応する前記物理アドレスを取得するように構成されるとともに、前記保存ユニットに前記物理アドレスを送信するように構成される
ことを特徴とする請求項１〜７のいずれか１項に記載の装置。
【請求項９】
ＳＤコマンドを受信する段階と、
セキュア・デジタル（ＳＤ）コマンド内の論理アドレスに基づいて、保存ユニット又はベースバンド処理ユニットにデータ又は命令を送信する段階とを有し、
前記ＳＤコマンドは、端末装置が、ＳＣＳＩ（Small Computer System Interface） ＣＤＢ（Command Descriptor Block）に前記受信データ又は命令をカプセル化した後、ＳＣＳＩ ＣＤＢを変換した結果であり、
前記ベースバンド処理ユニットに前記データ又は命令を送信する段階は：
前記ＳＤスレーブ・コントローラが、前記ＳＤコマンド内の前記論理アドレスに基づいて、前記ベースバンド処理ユニットに前記データ又は命令を送信することを決定した場合、前記ベースバンド処理ユニットに対応するアプリケーション・モジュールに前記データ又は命令を送信する段階を有し、かつ
前記保存ユニットに前記データ又は命令を送信する段階は：
前記ＳＤスレーブ・コントローラが、前記ＳＤコマンド内の前記論理アドレスに基づいて、前記保存ユニットに前記データ又は命令を送信することを決定した場合、前記ＳＤコマンドに基づいて前記保存ユニットを読み込むとともに、前記保存ユニットに書き込むために、前記論理アドレスに対応する物理アドレスを使用する段階を有し、
前記ＳＤコマンドを受信する段階は、
前記ＳＤコマンドを受信するとき、前記ＳＤコマンド内の前記論理アドレスが任意の物理アドレスに対応しているかどうかを判断することによって、データ又は命令をフラッシュメモリまたはベースバンドに送信することを前記ＳＤスレーブ・コントローラによって決定する段階と、
前記ＳＤコマンド内の前記論理アドレスが任意の物理アドレスに対応する場合、前記フラッシュメモリに前記データ又は命令を送信する段階と、
前記ＳＤコマンド内の前記論理アドレスがどの物理アドレスにも対応していない場合、前記データ又は命令を前記ベースバンドに送信する段階と
を有する
ことを特徴とする無線インターネット接続方法。
【請求項１０】
上位層から送信された前記データ又は命令を受信するステップ、前記ＳＣＳＩ ＣＤＢ内に前記データ又は命令をカプセル化するステップ、及び前記ＳＤコマンドに前記ＣＤＢを変換するステップは、
端末装置のアダプタ・ドライバによって、前記上位層から送信された前記データ又は命令を受信するとともに、前記ＳＣＳＩ ＣＤＢ内に前記データ又は命令をカプセル化する段階と、
ＳＤドライバによって、前記ＳＤコマンドに前記ＣＤＢを変換するとともに、前記端末装置のＳＤマスタ・コントローラに前記ＳＤコマンドを送信する段階と、
を有し、
前記ＳＤコマンド内の前記論理アドレスに基づいて、前記保存ユニット又はベースバンド処理ユニットに前記データ又は命令を送信する段階は、
モバイル・ネットワーク接続装置のＳＤスレーブ・コントローラによって、前記ＳＤコマンドを受信する段階と、前記ＳＤコマンド内の前記論理アドレスに基づいて、前記保存ユニット又はベースバンド処理ユニットに前記データ又は命令を受信する段階を有する
ことを特徴とする請求項９に記載の方法。
【請求項１１】
前記上位層から送信された前記データ又は命令を受信するステップ、及び前記ＳＣＳＩ ＣＤＢ内に前記データ又は命令をカプセル化するステップは、
前記端末装置のアダプタ・ドライバによって、前記ＳＣＳＩ ＣＤＢの中にポート識別子（ID）及び前記データ／命令をカプセル化するとともに、ＬＢＡ（Logical Block Ａｄｄｒｅｓｓ）を特定値に接続させる段階
を有することを特徴とする請求項１０に記載の方法。
【請求項１２】
上位層から送信されたデータ又は命令を受信するように構成され、かつＳＣＳＩ（Ｓｍａｌｌ Computer System Interface） ＣＤＢ（Command Descriptor Block）の中に前記データ又は命令をカプセル化するように構成され、かつセキュア・デジタル（ＳＤ）コマンドに前記ＣＤＢを変換し、かつモバイル・ネットワーク接続装置に前記ＳＤコマンドを送信するように構成された端末装置を具備し、
前記モバイル・ネットワーク接続装置は、
前記ＳＤコマンド内の論理アドレスに基づいて、前記モバイル・ネットワーク接続装置の保存ユニット又はベースバンド処理ユニットに、前記端末装置からの前記データ又は命令を送信するとともに、
前記ＳＤコマンド内の前記論理アドレスに基づいて、前記ベースバンド処理ユニットに前記データ又は命令を送信することを決定した場合、前記ベースバンド処理ユニットに対応するアプリケーション・モジュールに前記データ又は命令を送信するか、又は前記ＳＤコマンド内の前記論理アドレスに基づいて、前記保存ユニットに前記データ又は命令を送信することを決定した場合、前記論理アドレスに対応する物理アドレスを取得し、かつ前記ＳＤコマンドに基づいて、前記保存ユニットを読み込むとともに、前記保存ユニットに書き込むために前記物理アドレスを使用する
ように構成され、
前記ＳＤコマンドを受信するとき、前記モバイル・ネットワーク接続装置は、前記ＳＤコマンド内の前記論理アドレスが任意の物理アドレスに対応しているかどうかを判断することによって、データ又は命令をフラッシュメモリまたはベースバンドに送信することを決定し、かつ前記ＳＤコマンド内の前記論理アドレスが任意の物理アドレスに対応する場合、前記フラッシュメモリに前記データ又は命令を送信し、前記ＳＤコマンド内の前記論理アドレスがどの物理アドレスにも対応していない場合、前記データ又は命令を前記ベースバンドに送信することを特徴とする無線インターネット接続システム。
【請求項１３】
コンピュータに請求項９乃至１１のいずれか１項の方法を実行させることを特徴とするプログラム。
【請求項１４】
プログラムがコンピュータに請求項９乃至１１のいずれか１項の方法を実行させることを特徴とする、記録されたプログラムを有するコンピュータ可読記録媒体。
【発明の詳細な説明】
【技術分野】
【０００１】
本発明は、データ通信技術に関し、特に、モバイル・ネットワーク接続の装置、システム、及び方法に関する。
【背景技術】
【０００２】
無線インターネット端末は、相当な上り速度及び下り速度、簡潔性、及び利便性のために普及している。従来技術では、モバイル・ネットワーク接続装置のポートは、ＵＳＢ（Universal Serial Bus）ポート、ミニＰＣＩ−Ｅ（Peripheral Component Interconnect - Express）ポート、及びＰＣＭＣＩＡ（Personal Computer Memory Card International Association）ポートを有する。前記従来技術は、少なくとも以下の欠点を有する：従来技術では、モバイル・ネットワーク接続装置は、小型の超薄型製品内に配置するには大きすぎ、かつ端末製品の開発条件を満たさない。
【発明の概要】
【発明が解決しようとする課題】
【０００３】
本発明の実施形態では、モバイル・ネットワーク接続装置のサイズを小さくするための、モバイル・ネットワーク接続の装置、システム、及び方法を提供する。
【課題を解決するための手段】
【０００４】
本発明の実施形態に記載のモバイル・ネットワーク接続装置は、
セキュア・デジタル（ＳＤ）コマンド内の論理アドレスに基づいて、保存ユニット又はベースバンド処理ユニットにデータ又は命令を送信するように構成されたＳＤスレーブ・コントローラと、
前記ＳＤスレーブ・コントローラは、前記ＳＤコマンド内の前記論理アドレスに基づいて、前記ベースバンド処理ユニットに前記データ又は命令を送信することを決定した場合、前記ベースバンド処理ユニットに対応するアプリケーション・モジュールに前記データ又は命令を送信するように構成されたベースバンド処理ユニットと、
前記ＳＤスレーブ・コントローラは、前記ＳＤコマンド内の前記論理アドレスに基づいて、前記保存ユニットに前記データ又は命令を送信することを決定した場合、前記ＳＤコマンドに基づいて前記保存ユニットを読み込むとともに前記保存ユニットに書き込むために、前記論理アドレスに対応する物理アドレスを使用するように構成された保存ユニットとを具備している。
【０００５】
端末装置は、
上位層から送信されたデータ又は命令を受信するとともに、ＳＣＳＩ（Small Computer System Interface） ＣＤＢ（Command Descriptor Block）の中に前記データ又は命令をカプセル化するように構成されたアダプタ・ドライバと、
ＳＤコマンドに前記ＣＤＢを変換するとともに、ＳＤマスタ・コントローラに前記ＳＤコマンドを送信するように構成されたＳＤドライバと、
を具備し、
前記ＳＤマスタ・コントローラは、前記ＳＤコマンドを受信するとともに、ＳＤポートを介してモバイル・ネットワーク接続装置に前記ＳＤコマンドを送信するように構成されている
ことを特徴とする。
【０００６】
上位層から送信されたデータ又は命令を受信し、かつＳＣＳＩ ＣＤＢの中に前記データ又は命令をカプセル化し、かつＳＤコマンドに前記ＣＤＢを変換し、かつモバイル・ネットワーク接続装置に前記ＳＤコマンドを送信するように構成された端末装置を具備し、
前記モバイル・ネットワーク接続装置は、
前記ＳＤコマンド内の論理アドレスに基づいて、前記モバイル・ネットワーク接続装置の保存ユニット又はベースバンド処理ユニットに、前記端末装置からの前記データ又は命令を送信するとともに、
前記ＳＤコマンド内の前記論理アドレスに基づいて、前記ベースバンド処理ユニットに前記データ又は命令を送信することを決定した場合、前記ベースバンド処理ユニットに対応するアプリケーション・モジュールに前記データ又は命令を送信するか、又は前記ＳＤコマンド内の前記論理アドレスに基づいて、前記保存ユニットに前記データ又は命令を送信することを決定した場合、前記論理アドレスに対応する物理アドレスを取得し、かつ前記ＳＤコマンドに基づいて、前記保存ユニットを読み込むとともに、前記保存ユニットに書き込むために前記物理アドレスを使用するように構成されていることを特徴とする。
【０００７】
無線インターネット接続方法は、
セキュア・デジタル（ＳＤ）コマンド内の論理アドレスに基づいて、保存ユニット又はベースバンド処理ユニットにデータ又は命令を送信する段階を有し、
前記ＳＤコマンドは、端末装置が、ＳＣＳＩ（Small Computer System Interface） ＣＤＢ（Command Descriptor Block）に前記受信データ又は命令をカプセル化した後、ＳＣＳＩ ＣＤＢを変換した結果であることを特徴とする。
【０００８】
本発明の実施形態では、無線インターネット接続機能は、ＳＤカード内に統合されている。前記モバイル・ネットワーク接続装置は、前記ＳＤコマンド内の前記論理アドレスに基づいて、前記ベースバンド処理ユニット又は保存ユニットに、前記データ又は命令を送信することを決定する。そのことは、前記モバイル・ネットワーク接続装置のサイズを小さくするとともに、開発者がより小型の端末製品を設計できるようにする。
【図面の簡単な説明】
【０００９】
【図１】本発明の実施形態に基づくシステムの構成図である。
【図２】本発明の実施形態に基づくアンテナの位置を示す図である。
【図３】本発明の実施形態に基づく第一方法のフローチャートである。
【図４】本発明の実施形態に基づく第二方法のフローチャートである。
【発明を実施するための形態】
【００１０】
前記ＳＤカードは、半導体フラッシュ・メモリに基づく記録装置であり、かつデジタル・カメラ、携帯用情報端末（Personal Digital Assistant : PDA）及びマルチメディア・プレイヤのようなポータブル装置に広く適用されている。ＳＤカードのサイズは、小さく、かつ一般に２４ｍｍ×３２ｍｍ×２．１ｍｍである。既存のＳＤカードは、記録媒体としてのみ機能するとともに、デジタル装置の記録領域を拡張するように設計されている。本明細書に開示する技術に基づくと、前記ＳＤカードは、無線ブロードバンド・サービスを実装する。
【００１１】
図１に図示すように、本発明の実施形態で提供する無線インターネット接続システムは、端末装置１とモバイル・ネットワーク接続装置２とを具備している。
【００１２】
前記端末装置１は、上位層から送信されたデータ又は命令を受信し、かつＳＣＳＩ ＣＤＢ内に前記データ又は命令をカプセル化し、かつ前記ＣＤＢをＳＤ命令に変換し、かつ前記ＳＤコマンドをモバイル・ネットワーク接続装置２へ送信するように構成されている。
【００１３】
前記モバイル・ネットワーク接続装置２は、前記ＳＤコマンド内の論理アドレスに基づいて、前記モバイル・ネットワーク接続装置２の保存ユニット２２又はベースバンド処理ユニット２１に前記データ及び命令を送信するように構成されている。前記保存ユニット２２及びベースバンド処理ユニット２１は、異なる論理アドレスに対応する。かつ、前記モバイル・ネットワーク接続装置２は、前記ＳＤコマンド内の前記論理アドレスに基づいて、前記ベースバンド処理ユニット２１に前記データ又は命令を送信することを決定した場合、前記ベースバンド処理ユニット２１に対応するアプリケーション・モジュールに前記データ又は命令を送信するか、又は、前記ＳＤコマンド内の前記論理アドレスに基づいて、前記保存ユニット２２に前記データ又は命令を送信することを決定した場合、前記論理アドレスに対応する物理アドレスを取得し、かつ前記ＳＤコマンドに基づいて前記保存ユニット２２を読み込むとともに、前記保存ユニット２２に書き込むために、前記物理アドレスを使用するように構成されている。
【００１４】
ＳＤカードの記録領域は、多数のセクタに分かれている。セクタは、データ消去のための最小単位である。各セクタは、多数のブロックに分割されるとともに、各ブロックは、一般に５１２バイトの大きさである。保存ユニット２２の各ブロックは、論理アドレスと物理アドレスとに対応する。前記論理アドレスは、前記物理アドレスにマッピングされるとともに、そのマッピング関係は、前記モバイル・ネットワーク接続装置２のＳＤスレーブ・コントローラ内に保存されている。前記ベースバンド処理ユニット２１は、論理アドレスに対応する。ＳＤコマンドを受信するとき、前記ＳＤスレーブ・コントローラは、前記ＳＤコマンド内の前記論理アドレスが任意の物理アドレスに対応するかどうかを判断することによって、前記保存ユニット２２又はベースバンド処理ユニット２１に前記データ又は命令を送信することを決定し、かつ、前記ＳＤコマンド内の前記論理アドレスが、任意の物理アドレスに対応している場合、前記保存ユニット２２に前記データ又は命令を送信するか、又は、前記ＳＤコマンド内の前記論理アドレスが、どの物理アドレスにも対応していない場合、前記ベースバンド処理ユニット２１に前記データ又は命令を送信する。
【００１５】
前記端末装置１は、アダプタ・ドライバ１１と、ＳＤドライバ１２と、ＳＤマスタ・コントローラ１３とを具備している。
【００１６】
前記アダプタ・ドライバ１１は、上位層から送信されたデータ又は命令を受信するように、かつ前記データ又は命令をＳＣＳＩ ＣＤＢにカプセル化するように構成されている。前記アダプタ・ドライバ１１は、特に、前記ポート識別子（ID）及びデータ／コマンドをＳＣＳＩ ＣＤＢにカプセル化するように構成され、かつＬＢＡ（Logical Block Address）を０ｘＦＦＦＦ ＦＦＦＦのような特定値に接続させるように構成されている。前記アダプタ・ドライバ１１は、前記モバイル・ネットワーク接続装置２のために多数の仮想シリアル・ポートをシミュレートする。前記上位層のアプリケーション・モジュールは、前記モバイル・ネットワーク接続装置２上の前記ベースバンド処理ユニット２１を制御し、かつ前記ベースバンド処理ユニット２１に接続するために、前記仮想シリアル・ポートを使用する。前記ポートＩＤは、仮想シリアル・ポートのＩＤであるとともに、前記ベースバンド処理ユニット２１は、前記受信データ又は命令のタイプを区別するために前記ポートＩＤを使用する。
【００１７】
前記ＳＤドライバ１２は、前記ＣＤＢをＳＤコマンドに変換するように構成され、かつ前記マスタ・コントローラ１３に前記ＳＤコマンドを送信するように構成されている。
【００１８】
前記ＳＤマスタ・コントローラ１３は、前記ＳＤコマンドを受信するように構成され、かつＳＤポートを介して、前記モバイル・ネットワーク接続装置２に前記ＳＤコマンドを送信するように構成されている。
【００１９】
前記モバイル・ネットワーク接続装置２は、ＳＤスレーブ・コントローラ２８と、ベースバンド処理ユニット２１と、保存ユニット２２とを具備している。
【００２０】
前記ＳＤスレーブ・コントローラ２８は、前記ＳＤコマンド内の前記論理アドレスに基づいて、前記保存ユニット２２又はベースバンド処理ユニット２１に前記データ又は命令を送信するように構成されている。前記保存ユニット２２及び前記ベースバンド処理ユニット２１は異なる論理アドレスに対応している。
【００２１】
前記ＳＤスレーブ・コントローラ２８が、前記ＳＤコマンド内の前記論理アドレスに基づいて、前記ベースバンド処理ユニット２１に前記データ又は命令を送信することを決定した場合、前記ベースバンド処理ユニット２１は、前記ベースバンド処理ユニットに対応するアプリケーション・モジュールに前記データ又は命令を送信するように構成されている。
【００２２】
前記ＳＤスレーブ・コントローラ２８が、前記ＳＤコマンド内の前記論理アドレスに基づいて、前記保存ユニット２２に前記データ又は命令を送信することを決定した場合、前記保存ユニット２２は、前記ＳＤコマンドに基づいて、前記保存ユニット２２を読み込むとともに、前記保存ユニット２２に書き込むための前記論理アドレスに対応する物理アドレスを使用するように構成されている。
【００２３】
前記ＳＤコマンド内の前記論理アドレスに基づいて、前記保存ユニット２２に前記データ又は命令を送信することを決定した場合、前記ＳＤスレーブ・コントローラ２８は、さらに、前記論理アドレスに対応する物理アドレスを取得するように構成され、かつ前記保存ユニット２２の前記物理アドレスを送信するように構成されている。
【００２４】
前記保存ユニット２２は、さらに、前記ベースバンド処理ユニット２１のランニング・コードのような情報を保存するように構成されている。特に、前記情報は、前記保存ユニット２２内の書き込み禁止部分に保存されている。
【００２５】
前記モバイル・ネットワーク接続装置２は、無線周波数（ＲＦ）処理ユニットと、電力供給管理ユニット２４と、加入者識別モジュール（ＳＩＭ）ユニット２５と、アンテナ２６と、ＳＤポート２７とをさらに具備している。
【００２６】
前記ＲＦ処理ユニット２３は、前記ベースバンド処理ユニット及び前記アンテナに接続しており、かつ無線モジュール内で前記アンテナ２６を介して高周波信号を受信及び転送し、かつ前記ネットワークに接続している。
【００２７】
前記電力供給管理ユニット２４は、前記装置の電力供給を管理するように構成され、かつ前記ＲＦ処理ユニット２３と、前記ＳＩＭユニット２５と、前記保存ユニット２２と、前記ベースバンド処理ユニット２１とに電力を供給するように構成されている。
【００２８】
前記ＳＩＭユニット２５は、ユーザ情報を保存するように構成されている。前記ＳＩＭユニット２５は、さらに、承認ユーザ情報及びオペレータの付加価値サービス（ＶＡＳ）情報を保存している。この実施形態では、前記ＳＤカードのＳＤポートの信号ケーブルは、９ピンのみを有している。従って、通常の外付けＳＩＭは適用できないが、ＳＩＭチップは適用できる。通常のＳＩＭの機能は、ＳＩＭウェーハを介して前記ＳＩＭチップに内蔵されている。
【００２９】
前記ＳＤポート２７は、前記モバイル・ネットワーク接続装置２と前記端末装置１との間の接続を提供するように構成されている。特に、前記ＳＤポート２７は、前記モバイル・ネットワーク接続装置２のＳＤスレーブ・コントローラ２８と前記端末装置１のＳＤマスタ・コントローラ１３との間の接続を提供するように構成されている。
【００３０】
前記モバイル・ネットワーク接続装置のサイズを小さくするために、前記アンテナ２６は、ＰＣＢ（Printed Circuit Board）内に設置してもよい。図２に図示するように、前記アンテナは、例えば、前記ＳＤカードの前記ＳＤポート２７と対向するように、前記ＳＤカードの外側に配置してもよい。一方で、前記ＳＤカードの外側に場所が確保されていてもよく、かつどんな構成要素も前記アンテナ２６の近傍のこの場所内に設置できない。
【００３１】
図３は、本発明の実施形態で提供される無線インターネット接続方法を図示している。前記方法は、以下のステップを有する：
ステップ３０１：前記端末装置は、上位層から送信されたデータ又は命令を受信し、かつ前記データ又は命令をＳＣＳＩ ＣＤＢ内にカプセル化し、かつ前記ＣＢＤをＳＤコマンドに変換する。
ステップ３０２：前記モバイル・ネットワーク接続装置は、前記ＳＤコマンド内の前記論理アドレスに基づいて、前記保存ユニット又はベースバンド処理ユニットに前記データ又は命令を送信する。前記保存ユニット及び前記ベースバンド処理ユニットは、異なる論理アドレスに対応する。
【００３２】
以下では、本発明の方法の実施形態を説明するために、特別なアプリケーション・シナリオを使用する。図４に図示するように、前記方法は、以下のステップを有する：
ステップ４０１：前記端末装置のアダプタ・ドライバは、上位層から送信されたデータ及び命令を受信するとともに、前記データ又は命令をＳＣＳＩ ＣＤＢ内にカプセル化する。前記端末装置は、パーソナル・コンピュータ（ＰＣ）、デジタル・カメラなどでもよい。
【００３３】
特に、前記端末装置の前記アダプタ・ドライバは、ＳＣＳＩ ＣＤＢ内に前記ポートＩＤ及びデータ／命令をカプセル化するとともに、前記ＬＢＡを０ｘＦＦＦＦ ＦＦＦＦのような特定値に接続させる。前記アダプタ・ドライバ１１は、前記モバイル・ネットワーク接続装置２のために多数の仮想シリアル・ポートをシミュレートするとともに、前記上位層のアプリケーション・モジュールは、前記モバイル・ネットワーク接続装置２上の前記ベースバンド処理ユニット２１を制御し、前記ベースバンド処理ユニット２１に接続するために、前記仮想シリアル・ポートを使用する。前記ポートＩＤは、仮想シリアル・ポートのＩＤであるとともに、かつ前記ベースバンド処理ユニット２１は、前記受信データ又は命令のタイプを区別するために前記ポートＩＤを使用する。
【００３４】
ステップ４０２：前記ＳＤドライバは、前記ＣＤＢをＳＤコマンドに変換するとともに、前記端末装置の前記ＳＤマスタ・コントローラに前記ＳＤコマンドを送信する。前記ＳＤマスタ・コントローラは、ＳＤポートを介して前記モバイル・ネットワーク接続装置の前記ＳＤスレーブ・コントローラに前記ＳＤコマンドを送信する。
【００３５】
ステップ４０３：前記ＳＤスレーブ・コントローラは、前記ＳＤコマンドを受信するとともに、前記ＳＤコマンド内の論理アドレスに基づいて、フラッシュ・メモリ及びベースバンドに前記データ又は命令を送信する。前記フラッシュ・メモリ及び前記ベースバンドは、異なる論理アドレスに対応する。
【００３６】
ＳＤカードの記録領域は、多数のセクタに分かれている。セクタは、データ消去のための最小単位である。各セクタは、多数のブロックに分割されるとともに、各ブロックは、一般に５１２バイトの大きさである。前記フラッシュ・メモリの各ブロックは、論理アドレスと物理アドレスとに対応している。前記論理アドレスは、前記物理アドレスにマッピングされるとともに、そのマッピング関係は、ＳＤスレーブ・コントローラ内に保存される。前記ベースバンドは、論理アドレスに対応している。前記ＳＤコマンドを受信するとき、前記ＳＤスレーブ・コントローラは、前記ＳＤコマンド内の前記論理アドレスが、任意の物理アドレスに対応しているかどうかを判断することによって、前記前記フラッシュ・メモリ又はベースバンドに前記データ又は命令を送信することを決定し、かつ前記ＳＤコマンド内の前記論理アドレスが、任意の物理アドレスに対応している場合、前記フラッシュ・メモリに前記データ又は命令を送信するか、又は前記ＳＤコマンド内の前記論理アドレスが、どの物理アドレスにも対応していない場合、前記ベースバンドに前記データ又は命令を送信する。
【００３７】
ステップ４０４：前記ＳＤスレーブ・コントローラは、前記ＳＤコマンド内の論理アドレスに基づいて、前記ベースバンドに前記データ又は命令を送信することを決定した場合、前記ベースバンドのアダプタ・ドライバは、対応するアプリケーション・モジュールに前記データ又は命令を送信する。
【００３８】
ステップ４０５：前記ＳＤスレーブ・コントローラが、前記ＳＤコマンド内の論理アドレスに基づいて、前記フラッシュ・メモリに前記データ又は命令を送信することを決定した場合、前記ベースバンドのアダプタ・ドライバは、前記論理アドレスに対応する物理アドレスを取得し、かつ前記ＳＤコマンドに基づいて前記フラッシュ・メモリを読み込むとともに、前記フラッシュ・メモリに書き込むために、前記物理アドレスを使用する。
【００３９】
この実施形態では、前記無線インターネット接続機能は、ＳＤカード内に統合されている；前記モバイル・ネットワーク接続装置は、前記ＳＤコマンド内の論理アドレスに基づいて、前記ベースバンド処理ユニット又は保存ユニットに前記データ又は命令を送信することを決定する。そのことは、前記モバイル・ネットワーク接続装置のサイズを小さくするとともに、開発者がより小型の端末製品を設計できるようにする。デジタル・カメラ、ＰＤＡ、及びマルチメディア・プレイヤのような、ＳＤカード・ポートを具備する全ての端末装置は、本明細書中に提供される前記モバイル・ネットワーク接続装置を使用できる。
【００４０】
上述の実施形態を読んだ後、当業者は、本発明の実施形態が、ハードウェアを通して、又は、好ましくはほとんどの状況で、必要な汎用ハードウェア・プラットフォームに加えてソフトウェアを通して実施できることを明確に認識する。従って、本発明に基づく前記技術的解決法、又は従来技術を超える本発明の新規性は、ソフトウェア製品内で具体化する。前記ソフトウェア製品は、フロッピー（登録商標）・ディスク、ハード・ディスク、及び読取専用コンパクト・ディスク（ＣＤ（登録商標）−ＲＯＭ）のようなコンピュータ可読記録媒体内に保存するとともに、本発明の任意の実施形態の中に記載の方法を実行するように装置に指示するためのいくつかの命令を組み入れている。
【００４１】
上記説明は、単に本発明の好ましい実施形態に過ぎないが、本発明の範囲を限定することを意図しない。当事者が容易に導くことのできる任意の変更形態、変形形態、又は代替形態は、本発明の範囲内に含まれる。従って、本発明の範囲は、添付の特許請求の範囲に依存する。
【符号の説明】
【００４２】
１  端末装置
２  モバイル・ネットワーク接続装置
１１  アダプタ・ドライバ
１２  ＳＤドライバ
１３  ＳＤマスタ・コントローラ
２１  ベースバンド処理ユニット
２２  保存ユニット
２３  ＲＦ処理ユニット
２４  電力供給管理ユニット
２５  ＳＩＭユニット
２６  アンテナ
２７  ＳＤポート
２８  ＳＤスレーブ・コントローラ
【図１】
0005510871.tif 000002
【図３】
0005510871.tif 000003
【図４】
0005510871.tif 000004
【図２】
0005510871.tif 000005